(57)【要約】【課題】カッティングヘッド付きプリンタを利用して、立体物に貼られるシート状印刷物または組み立てられることによって立体物を形成するシート状印刷物を比較的簡単に作製可能とする。【解決手段】データ作成装置は、第１の輪郭によって画定される印刷領域と第２の輪郭によって画定されるカット線とを含むテンプレートを複数記憶した記憶部４２を有する。画像変形部４６は、原画像を第１の輪郭によって画定される印刷領域に応じた画像に変形する。印刷データ作成部４８は、変形後の画像を印刷するための印刷用データを作成する。カットデータ作成部４９は、記録紙を第２の輪郭に沿って切断するためのカット用データを作成する。【選択図】図４
2012091386.tif 000002
【特許請求の範囲】
【請求項１】
記録媒体に印刷を施すプリントヘッドと記録媒体を切断するカッティングヘッドとを備えたカッティングヘッド付きプリンタ用のデータを作成するデータ作成装置であって、
原画像のデータが入力される画像入力部と、
立体物に貼られるシート状印刷物または組み立てられることによって立体物を形成するシート状印刷物を作製するためのテンプレートであって、第１の輪郭によって画定される印刷領域と第２の輪郭によって画定されるカット線とを含むテンプレートを複数記憶した記憶部と、
前記複数のテンプレートのうちユーザがどのテンプレートを選択したかについての情報が入力されるテンプレート入力部と、
前記テンプレート入力部に入力されたテンプレートに応じて、前記原画像を前記第１の輪郭によって画定される印刷領域に応じた画像に変形する画像変形部と、
前記画像変形部によって変形された画像を印刷するように前記プリントヘッドを制御する印刷用データを作成する印刷データ作成部と、
前記テンプレート入力部に入力されたテンプレートに応じて、記録媒体を前記カット線に沿って切断するように前記カッティングヘッドを制御するカット用データを作成するカットデータ作成部と、
を備えたデータ作成装置。
【請求項２】
少なくとも一つのテンプレートにおいて、前記第２の輪郭により囲まれる領域は、前記第１の輪郭により囲まれる領域よりも面積が大きい、請求項１に記載のデータ作成装置。
【請求項３】
組み立てられることによって立体物を形成するシート状印刷物を作製するためのテンプレートのうち少なくとも一つは、前記シート状印刷物の前記第１の輪郭の外側且つ前記第２の輪郭の内側の部分が、前記シート状印刷物の裏面に貼り合わせられる糊代部分となっている、請求項１に記載のデータ作成装置。
【請求項４】
記録媒体に印刷を施すプリントヘッドと記録媒体を切断するカッティングヘッドとを備えたカッティングヘッド付きプリンタ用のデータを作成するコンピュータプログラムであって、コンピュータを、
原画像のデータが入力される画像入力手段、
立体物に貼られるシート状印刷物または組み立てられることによって立体物を形成するシート状印刷物を作製するためのテンプレートであって、第１の輪郭によって画定される印刷領域と第２の輪郭によって画定されるカット線とを含むテンプレートを複数記憶した記憶手段、
前記複数のテンプレートのうちユーザがどのテンプレートを選択したかについての情報が入力されるテンプレート入力手段、
前記テンプレート入力手段に入力されたテンプレートに応じて、前記原画像を前記第１の輪郭によって画定される印刷領域に応じた画像に変形する画像変形手段、
前記画像変形手段によって変形された画像を印刷するように前記プリントヘッドを制御する印刷用データを作成する印刷データ作成手段、および、
前記テンプレート入力手段に入力されたテンプレートに応じて、記録媒体を前記カット線に沿って切断するように前記カッティングヘッドを制御するカット用データを作成するカットデータ作成手段、
として機能させるためのコンピュータプログラム。
【発明の詳細な説明】
【技術分野】
【０００１】
本発明は、カッティングヘッド付きプリンタ用のデータを作成するデータ作成装置およびコンピュータプログラムに係り、特に、立体物に貼られるシート状印刷物または組み立てられることによって立体物を形成するシート状印刷物を作製するためのデータを作成するデータ作成装置およびコンピュータプログラムに関する。
【背景技術】
【０００２】
画像が印刷された立体物を形成する方法として、紙等のシート状印刷物を立体物に貼り付ける方法が知られている。例えば、予め扇状のシート状印刷物を用意しておき、その印刷物を円錐体の側面に巻き付けるように貼り付けることによって、側面に画像が印刷された円錐形の立体物を得ることができる。
【０００３】
また、画像が印刷された立体物を形成する他の方法として、シート状印刷物を立体的に組み立てる方法も知られている。例えば、円錐の展開物（詳しくは、扇形部分と、その扇形部分の円弧に接するように設けられた円形部分とからなる展開物）に画像を印刷しておき、その展開物を組み立てることによって、画像が印刷された円錐形の立体物を得ることができる。
【０００４】
ところで、立体物を形成するために用いられるシート状印刷物では、立体物に貼り付けられた状態、あるいは立体的に組み立てられた状態において所定の絵柄が自然に見えるように、画像が印刷されなければならない。例えば、円錐体の側面に貼り付けられるシート状印刷物では、円錐体の側面に貼り付けられた状態で所定の絵柄が自然に見えるように画像が印刷されなければならない。そのため、紙等に画像を印刷する段階において、原画像をそのまま印刷するのではなく、原画像を立体物の形状に応じて変形させた画像を印刷しなければならない。例えば、円錐体の側面に貼り付けられるシート状印刷物では、紙等に対し、原画像を円周方向に伸長したような扇形の画像を印刷しなければならない。
【０００５】
従来、プリンタを用いてそのようなシート状印刷物を作製する場合、以下のような手順が採られていた。まず、専用のアプリケーションソフトウェアを用いて、原画像を立体物の形状に応じた画像に変形する。なお、画像の変形方法には、各種の公知技術（例えば特許文献１参照）を利用することができる。次に、専用のアプリケーションソフトウェアまたはプリンタに付属するソフトウェアを用い、変形後の画像を印刷するための印刷データを作成する。そして、プリンタに上記印刷データを入力し、紙等に変形後の画像を印刷する。画像印刷後は、カッティング装置を用いて上記紙等を切断する。その後、切断されたシート状印刷物を立体物に貼り付ける。
【先行技術文献】
【特許文献】
【０００６】
【特許文献１】特公平７−６１７４０号公報
【発明の概要】
【発明が解決しようとする課題】
【０００７】
ところで、印刷および切断の両方を実行可能な装置として、カッティングヘッド付きプリンタが知られている。カッティングヘッド付きプリンタを用いてシート状印刷物の印刷および切断を行うことができれば、プリンタおよびカッティング装置を用いて印刷と切断とを別々に行う場合に比べて便利である。カッティングヘッド付きプリンタは、印刷を行うプリントヘッドと、切断を行うカッティングヘッドとを備え、プリントヘッドは印刷用データに基づいて制御され、カッティングヘッドはカット用データに基づいて制御される。
【０００８】
カッティングヘッド付きプリンタを利用して上記シート状印刷物の印刷および切断を実行しようとすると、ユーザは、予め専用のアプリケーションソフトを使用して原画像の変形を行い、その後に、変形後の画像に基づいて、他のソフトウェアを用いて印刷データの作成およびカット用データの作成を行う必要があった。そのため、作業が面倒であり、ユーザの負担が大きかった。
【０００９】
本発明はかかる点に鑑みてなされたものであり、本発明の目的は、カッティングヘッド付きプリンタを利用して、立体物に貼られるシート状印刷物または組み立てられることによって立体物を形成するシート状印刷物を比較的簡単に作製可能とすることにある。
【課題を解決するための手段】
【００１０】
本発明に係るデータ作成装置は、記録媒体に印刷を施すプリントヘッドと記録媒体を切断するカッティングヘッドとを備えたカッティングヘッド付きプリンタ用のデータを作成するデータ作成装置であって、原画像のデータが入力される画像入力部と、立体物に貼られるシート状印刷物または組み立てられることによって立体物を形成するシート状印刷物を作製するためのテンプレートであって、第１の輪郭によって画定される印刷領域と第２の輪郭によって画定されるカット線とを含むテンプレートを複数記憶した記憶部と、前記複数のテンプレートのうちユーザがどのテンプレートを選択したかについての情報が入力されるテンプレート入力部と、前記テンプレート入力部に入力されたテンプレートに応じて、前記原画像を前記第１の輪郭によって画定される印刷領域に応じた画像に変形する画像変形部と、前記画像変形部によって変形された画像を印刷するように前記プリントヘッドを制御する印刷用データを作成する印刷データ作成部と、前記テンプレート入力部に入力されたテンプレートに応じて、記録媒体を前記カット線に沿って切断するように前記カッティングヘッドを制御するカット用データを作成するカットデータ作成部と、を備えたものである。
【００１１】
本発明に係るコンピュータプログラムは、記録媒体に印刷を施すプリントヘッドと記録媒体を切断するカッティングヘッドとを備えたカッティングヘッド付きプリンタ用のデータを作成するコンピュータプログラムであって、コンピュータを、原画像のデータが入力される画像入力手段、立体物に貼られるシート状印刷物または組み立てられることによって立体物を形成するシート状印刷物を作製するためのテンプレートであって、第１の輪郭によって画定される印刷領域と第２の輪郭によって画定されるカット線とを含むテンプレートを複数記憶した記憶手段、前記複数のテンプレートのうちユーザがどのテンプレートを選択したかについての情報が入力されるテンプレート入力手段、前記テンプレート入力手段に入力されたテンプレートに応じて、前記原画像を前記第１の輪郭によって画定される印刷領域に応じた画像に変形する画像変形手段、前記画像変形手段によって変形された画像を印刷するように前記プリントヘッドを制御する印刷用データを作成する印刷データ作成手段、および、前記テンプレート入力手段に入力されたテンプレートに応じて、記録媒体を前記カット線に沿って切断するように前記カッティングヘッドを制御するカット用データを作成するカットデータ作成手段、として機能させるためのものである。
【発明の効果】
【００１２】
本発明によれば、カッティングヘッド付きプリンタを利用して、立体物に貼られるシート状印刷物または組み立てられることによって立体物を形成するシート状印刷物を比較的簡単に作製することが可能となる。
【図面の簡単な説明】
【００１３】
【図１】カッティングヘッド付きプリンタの斜視図である。
【図２】（ａ）および（ｂ）はインクジェットヘッドおよびカッティングヘッドの正面図である。
【図３】カッティングヘッド付きプリンタの制御系のブロック図である。
【図４】コンピュータの機能ブロック図である。
【図５】画像が印刷された立体物の一例を示す斜視図である。
【図６】シート状印刷物の一例を示す平面図である。
【図７】原画像の一例を示す図である。
【発明を実施するための形態】
【００１４】
本実施形態に係るデータ作成装置およびコンピュータプログラムは、図１に示すようなカッティングヘッド付きプリンタ（以下、単にプリンタという）１用のデータを作成するものである。なお、本実施形態では、プリンタ１はプリントヘッドとして、インクを吐出することによって印刷を施すインクジェットヘッド１０を備えている。ただし、本発明に係るプリンタのプリントヘッドは、インクジェットヘッド１０に限られず、他の種類のプリントヘッド、例えばドットインパクト方式の印刷を行うプリントヘッド等であってもよい。まず、プリンタ１の構成を説明する。
【００１５】
プリンタ１は、インクジェットヘッド１０とカッティングヘッド２０とを備えている。詳細は後述するが、インクジェットヘッド１０およびカッティングヘッド２０は、図示Ｙ方向に移動可能に構成されている。以下では、Ｙ方向を主走査方向または左右方向といい、Ｙ方向と直交する方向であるＸ方向を副走査方向または前後方向という。
【００１６】
プリンタ１は、印刷時および切断時に記録紙５０を支持するプラテン２を備えている。プラテン２には、グリッドローラ３が設けられている。グリッドローラ３は、フィードモータ６１（図１では図示せず。図３参照）によって駆動される。プラテン２の上方には、ガイドレール５が設けられている。ガイドレール５は左右方向に延びている。ガイドレール５の下部には、ピンチローラ４ａ，４ｂが設けられている。ピンチローラ４ａ，４ｂは、ガイドレール５に対して上下方向に揺動自在に取り付けられている。ピンチローラ４ａ，４ｂは、グリッドローラ３に対向している。記録紙５０がピンチローラ４ａ，４ｂとグリッドローラ３との間に挟み込まれた状態でグリッドローラ３が回転すると、記録紙５０は前方または後方に搬送されることになる。
【００１７】
図２（ａ）に示すように、インクジェットヘッド１０はキャリッジ１１を介してガイドレール５に支持されている。カッティングヘッド２０は、キャリッジ２１を介してガイドレール５に支持されている。キャリッジ１１およびキャリッジ２１は、ガイドレール５に対し、左右方向に移動自在に係合している。
【００１８】
図２（ａ）に示すように、キャリッジ２１には、ソレノイド２２を介してカッター２３が取り付けられている。ソレノイド２２は、コントローラ６０（図３参照）によって制御される。ソレノイド２２がＯＮ／ＯＦＦされると、カッター２３は上下方向に移動して記録紙５０に接触し、あるいは記録紙５０から離間する。キャリッジ２１の右側には、磁石によって構成される連結部材２４が固定されている。
【００１９】
キャリッジ２１の背面上部には、左右方向に延びるワイヤー６の一部が固定されている。ワイヤー６は、スキャンモータ６２（図３参照）に接続されている。スキャンモータ６２が回転すると、ワイヤー６が左右方向に変位する。これにより、キャリッジ２１は左右方向に移動することになる。なお、スキャンモータ６２は、コントローラ６０によって制御される。
【００２０】
インクジェットヘッド１０のキャリッジ１１には、インクジェット式の記録ヘッド１２が支持されている。ここでは、５つの記録ヘッド１２ａ，１２ｂがキャリッジ１１に支持されている。このうちの４つの記録ヘッド１２ａは、互いに異なる４つの色、具体的には、イエロインク、マゼンタインク、シアンインク、ブラックインクを吐出する。これらの記録ヘッド１２ａは、いわゆるプロセスカラーインクを吐出するものである。他の１つの記録ヘッド１２ｂは、白色インクや透明インク等のいわゆる特色インクを吐出する。ただし、記録ヘッド１２ａの個数は４個に限定されず、記録ヘッド１２ｂの個数も１個に限定されない。また、特色インクを吐出する記録ヘッド１２ａを省略することも可能である。記録ヘッド１２ａは、モノクロのイメージを形成するものであってもよい。
【００２１】
本実施形態では、記録ヘッド１２ａ，１２ｂから吐出される各インクは、紫外線を受けることによって硬化する性質を有するインク、すなわち紫外線硬化インクである。ただし、インクの種類は紫外線硬化インクに限られない。インクジェットプリンタ用のインクとして従来から用いられている各種のインクを好適に用いることができる。なお、紫外線硬化インク以外のインクを用いる場合、後述する紫外線照射装置１３ａ，１３ｂは不要であり、省略することができる。
【００２２】
本実施形態では、記録媒体の一例として記録紙５０を用いているが、記録媒体は記録紙５０に限定されない。記録媒体として他のシート状部材、例えば、変形可能な樹脂性のフィルムまたは基板等を用いてもよい。
【００２３】
キャリッジ１１の左側および右側には、紫外線照射装置１３ａ，１３ｂが設けられている。紫外線照射装置１３ａ，１３ｂの種類は何ら限定されないが、本実施形態では、紫外線照射装置１３ａ，１３ｂは紫外線を照射するＬＥＤ（図示せず）を備えたものである。ただし、紫外線照射装置１３ａ，１３ｂは、ハロゲンランプ等の他の照射体を備えたものであってもよい。紫外線照射装置１３ａ，１３ｂは、紫外線を下向きに照射する。これにより、プラテン２上の記録紙５０に紫外線が照射され、記録紙５０上の紫外線硬化インクが硬化する。
【００２４】
左側の紫外線照射装置１３ａの左側には、磁石によって構成される連結部材１４が設けられている。この連結部材１４は、カッティングヘッド２０の連結部材２４に対し、着脱自在に連結する。本実施形態では、連結部材１４，２４は、磁力を利用するものである。ただし、連結部材１４，２４は磁力を利用するものに限られず、係合部材等の他の構成を備えたものであってもよい。右側の紫外線照射装置１３ｂの右側には、Ｌ字状に形成された受け金具１５が設けられている。
【００２５】
プラテン２の左右両端部には、サイドフレーム７Ｌ，７Ｒが配置されている。ガイドレール５は、両サイドフレーム７Ｌ，７Ｒに支持されている。右側のサイドフレーム７Ｒには、インクジェットヘッド１０を待機位置にロックするためのロック装置３０が設けられている。ロック装置３０は、紫外線照射装置１３ｂの受け金具１５に引っ掛けられる受け金具３１と、受け金具３１をロック位置（図２（ｂ）参照）と非ロック位置（図２（ａ）参照）との間で移動させるソレノイド３２（図３参照）とを備えている。ソレノイド３２は、コントローラ６０によって制御される。
【００２６】
図２（ａ）に示すように、インクジェットヘッド１０による印刷を行う場合には、受け金具３１が非ロック位置に設定される。カッティングヘッド２０のキャリッジ２１が右方に移動し、連結部材２４と連結部材１４とが接触すると、キャリッジ２１とキャリッジ１１とが連結される。その結果、インクジェットヘッド１０は、カッティングヘッド２０と共に左右方向に移動可能となる。一方、カッティングヘッド２０によるカッティングの際には、図２（ｂ）に示すように、インクジェットヘッド１０が待機位置に位置付けられ、ロック装置３０の受け金具３１がロック位置に設定される。これにより、インクジェットヘッド１０の移動が阻止される。キャリッジ２１が左方へ移動すると、連結部材２４と連結部材１４とが離反し、キャリッジ２１とキャリッジ１１との連結が解除される。その結果、インクジェットヘッド１０が待機位置に待機した状態で、カッティングヘッド２０が左右方向に移動可能となる。
【００２７】
図１に示すように、プリンタ１は、上側の筐体を構成する上カバー８を備えている。サイドフレーム７Ｌの左側、サイドフレーム７Ｒ（図２（ａ）参照）の右側には、サイドカバー９Ｌ，９Ｒがそれぞれ設けられている。右側のサイドカバー９Ｒの前面には、操作パネル３５が配置されている。プラテン２の下方には、キャスター付きのスタンド３６が設けられている。
【００２８】
図３に示すように、コントローラ６０は、図示しないＣＰＵ、ＲＯＭ、およびＲＡＭなどからなるマイクロコンピュータによって構成されている。コントローラ６０は、インターフェース６３を介して外部のコンピュータ７０に接続される。コンピュータ７０には、プリンタ１の付属ソフトウェアがインストールされている。なお、この付属ソフトウェアは、本発明に係るコンピュータプログラムの一例である。コントローラ６０は、コンピュータ７０からデータを受け、フィードモータ６１、スキャンモータ６２、ロック装置３０のソレノイド３２、カッティングヘッド２０のソレノイド２２、インクジェットヘッド１０の記録ヘッド１２、および紫外線照射装置１３ａ，１３ｂを制御する。コンピュータ７０には、キーボードやマウス等からなる入力装置７１と、液晶ディスプレイ等からなる表示装置７２とが接続されている。
【００２９】
図４は、コンピュータ７０の機能ブロック図である。すなわち、コンピュータ７０に上記ソフトウェアがインストールされることによって、当該コンピュータ７０が果たすようになった機能を表すブロック図である。
【００３０】
図４に示すように、コンピュータ７０は、原画像のデータが入力される画像入力部４１と、後述する複数のテンプレートを記憶した記憶部４２と、ユーザがどのテンプレートを選択したかについての情報が入力されるテンプレート入力部４３と、を備えている。また、コンピュータ７０は、ファイル変換部４４を備えている。ファイル変換部４４は、画像作成用の専用ソフトウェア独自の形式のデータをポストスクリプト（ＰｏｓｔＳｃｒｉｐｔ）ファイルに変換するものである。ただし、画像入力部４１にポストスクリプトファイルが入力される場合には、上記変換は不要である。ファイル変換部４４で変換されたポストスクリプトファイル、あるいは画像入力部４１に入力されたポストスクリプトファイルは、ＲＩＰ（Ｒａｓｔｅｒ  Ｉｍａｇｅ  Ｐｒｏｃｅｓｓｏｒ）部４５に送られる。ＲＩＰ部４５は、ベクターイメージ形式のポストスクリプトファイルをラスターイメージ形式のデータに変換する部分である。
【００３１】
記憶部４２は複数のテンプレートを記憶している。各テンプレートは、印刷領域を画定する第１の輪郭と、カット線を画定する第２の輪郭とを含んでいる。次に、第１の輪郭および第２の輪郭の一例について説明する。図５は画像が印刷された立体物の一例としての球体５８、図６はその球体５８の展開図を表している。符号Ｌ１、Ｌ２は、それぞれ第１の輪郭、第２の輪郭を表している。本実施形態では画像は、第１の輪郭Ｌ１によって囲まれる領域に印刷される。なお、図中の「▲」は印刷画像の一例である。記録紙５０は、第２の輪郭Ｌ２に沿って切断される。第２の輪郭Ｌ２は、いわゆるカット線に対応する。なお、本明細書において「切断」とは、記録紙５０の厚さ方向の全体を切断することと、厚さ方向の一部を切断することの両方を含む意味である。記録媒体の厚さ方向の一部を切断する場合として、例えば、台紙とシール材とからなるステッカーのシール材のみを切断する場合等が挙げられる。
【００３２】
第１の輪郭Ｌ１と第２の輪郭Ｌ２とは、所定の位置関係にある。本例では、第２の輪郭Ｌ２により囲まれる領域は、第１の輪郭Ｌ１により囲まれる領域よりも面積が大きくなっている。特に本例では、第１の輪郭Ｌ１の外側且つ第２の輪郭Ｌ２の内側の部分３９は、シート状印刷物５５が立体的に組み立てられる際に、他の部分の裏面に貼り合わせられる部分である。すなわち、上記部分３９はいわゆる糊代部分である。ただし、シート状印刷物を立体物に貼り付ける場合等、糊代が必要でない場合もある。そのような場合には、第１の輪郭Ｌ１と第２の輪郭Ｌ２とを一致させるようにしてもよい。
【００３３】
テンプレートは、少なくとも立体物の形状毎に設定されている。立体物の具体的形状は何ら限定されない。立体物の形状は、上述の球体の他、例えば、円錐、円柱、角錐、角柱、卵形、星形等であってもよい。シート状印刷物が貼り付けられる対象物も何ら限定されない。対象物は、例えば、自動車のヘッドランプ、ウィンカー、タイヤ部分、ドア部分等であってもよい。記憶部４２（図４参照）にはそれら複数の立体物に応じて、第１の輪郭Ｌ１１および第２の輪郭Ｌ２１を含む第１のテンプレート、第１の輪郭Ｌ１２および第２の輪郭Ｌ２２を含む第２のテンプレート、第１の輪郭Ｌ１３および第２の輪郭Ｌ２３を含む第３のテンプレート、等が保存されている。
【００３４】
領域特定部４７は、ユーザが選択したテンプレートに基づき、インクジェットヘッド１０で印刷する領域と、カッティングヘッド２０でカットする領域とを特定する部分である。例えば、テンプレートとして球体が選択された場合（図５参照）、第１の輪郭Ｌ１によって囲まれる領域を印刷領域とし、第２の輪郭Ｌ２によって囲まれる領域をカット領域として特定する。少なくとも第１の輪郭Ｌ１に関する情報は画像変形部４６に送られ、少なくとも第２の輪郭Ｌ２に関する情報はカットデータ作成部４９に送られる。
【００３５】
画像変形部４６は、原画像を上記印刷領域に合わせて変形させる部分である。例えば図６に示すように、球体のテンプレートが選択された場合、両端が先細りの短冊部分に画像が印刷されることになるが、短冊部分の両端近傍部分では中央部分よりも画像が圧縮される。例えば、図７に示す原画像８０は、図６に示すような画像に変形される。なお、画像変形部４６における画像の変形方法には、従来から公知の各種方法を用いることができる。
【００３６】
図４に示すように、テンプレートに応じて変形された画像のデータは、印刷データ作成部４８に送られる。印刷データ作成部４８は、プリンタ１のインクジェットヘッド１０を制御して記録紙５０に上記画像を印刷するために、所定のコンピュータ言語（例えばＲＴＬ（Ｒａｓｔｅｒ  Ｔｒａｎｓｆｅｒ  Ｌａｎｇｕａｇｅ））で記述された印刷用データを作成する。この印刷用データは、インターフェース６３を介してコントローラ６０に送信される。
【００３７】
カットデータ作成部４９は、プリンタ１のカッティングヘッド２０を制御して記録紙５０を第２の輪郭Ｌ２に沿って切断するために、所定のコンピュータ言語（例えば、ＨＰＧＬ（Ｈｅｗｌｅｔｔ−Ｐａｃｋａｒｄ  Ｇｒａｐｈｉｃｓ  Ｌａｎｇｕａｇｅ））で記述されたカット用データを作成する。このカット用データは、インターフェース６３を介してコントローラ６０に送信される。
【００３８】
次に、データ作成装置としてのコンピュータ７０およびプリンタ１の動作について説明する。ここでは、プリンタ１によって、図６に示すようなシート状印刷物５５が作製されるものとする。
【００３９】
まず、コンピュータ７０に、原画像８０（図７参照）のデータが入力される。例えば、ＪＰＥＧ形式のデータ、ビットマップ形式のデータ等が入力される。この際、コンピュータ７０は画像入力部４１として機能する。
【００４０】
次に、ユーザにより、テンプレートが選択される。例えば、ユーザは、表示装置７２に表示される所定のテンプレート選択画面に従って、入力装置７１を使ってテンプレートを選択する。この際、コンピュータ７０はテンプレート入力部４３として機能する。ここでは、球体５８のテンプレートが選択されたものとする。
【００４１】
画像入力部４１に入力された画像データのファイルは、ファイル変換部４４によってベクターイメージ形式のポストスクリプトファイルに変換され、ＲＩＰ部４５によってラスターイメージ形式のファイルに変換される。領域特定部４７は、テンプレート入力部４３にテンプレートが入力されると、そのテンプレートのデータ（すなわち、第１の輪郭および第２の輪郭の形状および寸法等に関するデータ）を記憶部４２から読み出し、そのデータを画像変形部４６およびカットデータ作成部４９に出力する。
【００４２】
上記データを受けた画像変形部４６は、入力された画像を変形させる（図６参照）。印刷データ作成部４８は、プリンタ１のインクジェットヘッド１０を用いて変形後の画像を印刷すべく、印刷用データを作成する。印刷用データは、インターフェース６３を介してプリンタ１のコントローラ６０に入力される。また、上記データを受けたカットデータ作成部４９は、プリンタ１のカッティングヘッド２０を用いて記録紙５０を第２の輪郭に沿って切断すべく、カット用データを作成する。カット用データは、インターフェース６３を介してプリンタ１のコントローラ６０に入力される。
【００４３】
印刷用データを受けたコントローラ６０は、インクジェットヘッド１０を左右方向に往復させつつノズルからインクを吐出し、記録紙５０を前方に適宜搬送させる。また、紫外線照射装置１３ａ，１３ｂから紫外線を適宜照射させることにより、記録紙５０上のインクを硬化させる。これにより、記録紙５０に画像が印刷される。
【００４４】
次に、コントローラ６０は、記録紙５０をいったん後方に戻した後、記録紙５０を第２の輪郭に沿って切断する。詳しくは、コントローラ６０は、記録紙５０を前後方向に移動させつつカッティングヘッド２０を左右方向に移動させ、第２の輪郭に沿って記録紙５０を切断する。
【００４５】
以上により、シート状印刷物５５が作製される。その後、このシート状印刷物５５を組み立てることにより、画像が印刷された球体５８を得ることができる（図５参照）。
【００４６】
従来は、ユーザが事前に専用のアプリケーションソフトを利用して変形画像を作成し、その変形画像のデータをプリンタに入力し、さらにカット用データを作成してカッティング装置に入力する必要があった。しかし、本実施形態によれば、そのような手間を省くことができる。また、専用のアプリケーションソフトに関する知識が不要である。本実施形態によれば、ユーザは原画像のデータを入力し且つテンプレートを選択するだけの簡単な操作によって、立体物に貼られるシート状印刷物または組み立てられることによって立体物を形成するシート状印刷物を容易に作製することができる。
【符号の説明】
【００４７】
１    カッティングヘッド付きプリンタ
１０  インクジェットヘッド
２０  カッティングヘッド
４１  画像入力部
４２  記憶部
４３  テンプレート入力部
４６  画像変形部
４８  印刷データ作成部
４９  カットデータ作成部
５０  記録紙（記録媒体）
５５  シート状印刷物
５８  球体（立体物）
７０  コンピュータ（データ作成装置）
８０  原画像
Ｌ１  第１の輪郭
Ｌ２  第２の輪郭
【図１】
2012091386.tif 000003
【図２】
2012091386.tif 000004
【図３】
2012091386.tif 000005
【図４】
2012091386.tif 000006
【図５】
2012091386.tif 000007
【図６】
2012091386.tif 000008
【図７】
2012091386.tif 000009